【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
第１の扉と第２の扉とが、２本の連結軸を有する連結部材を介して折畳み可能に連結されるとともに、前記各連結軸を中心に回転可能に構成され、縦長の扉連結用枠部材が前記第１の扉と第２の扉の連結側の縦辺に沿って取付けられ、該扉連結用枠部材の外側部に半円筒状の外周面を有するカバー部材が嵌め込まれて張設される回転折れ戸において、
前記カバー部材と前記扉連結用枠部材は、係合すると互いが離反する方向やその交差方向の力に抗して、前記係合状態を維持する係合構造を有することを特徴とする回転折れ戸。
【請求項２】
前記連結部材は、前記両扉に取り付けられるとともに、前記連結軸に軸孔が嵌合されて相互に噛み合う同一寸法の一対の歯車を有し、前記一対の歯車を受け入れる開口が設けられた歯車カバーが取付けられていることを特徴とする請求項１記載の回転折れ戸。
【請求項３】
前記歯車カバーには水抜き用にスリットが設けられていることを特徴とする請求項２記載の回転折れ戸。
【請求項４】
前記係合構造は、カバー部材の半円筒状内面の両側縁に設けられ前記半円筒状の中心に向かって突出するフックと、前記扉連結用枠部材の外側の側面に設けられたフック受部とから構成されている請求項１〜３のいずれか１項に記載の回転折れ戸。
【手続補正２】
【補正対象書類名】明細書
【補正対象項目名】全文
【補正方法】変更
【補正の内容】
【発明の詳細な説明】
【発明の名称】回転折れ戸
【技術分野】
【０００１】
本願発明は、第１の扉と第２の扉とが、２本の連結軸を有する連結部材を介して折畳み可能に連結されるとともに、前記各連結軸を中心に回転可能に構成された回転折れ戸に関するものである。以下の説明において、第２の扉は、第１の扉と比べて同じ幅または幅が狭い扉である。
【背景技術】
【０００２】
この種の回転折れ戸として、折畳み式回転扉３が、幅の狭い子扉４と幅の広い親扉５との組合せからなり、これら子扉４と親扉５とが、それらの一側において折り畳み自在に連結され、これら両扉４、５が、縦長の門型扉枠体２に取り付けられた構造の折畳み式回転扉が提案されている。（特許文献１参照）
【０００３】
この折畳み式回転扉は、親子両扉の内側上下端部を相互に枢支した連結部材と、該連結部材の連結軸と同芯でかつ前記親子両扉に一体に結合されるとともに、相互に噛み合う同一寸法の一対の歯車とからなる折畳み連結手段を有し、また、子扉および親扉の内側部に、半円筒状の外周面を有する中空召合せゴムがそれぞれ張設され、該両中空召合せゴムの半円筒状外周面が対面するように配設されている。そして、召合せゴムの半円筒状の外周面の突端の対面部には、縦方向に係合用突条が形成され、閉扉時、該両召合せゴムの突条が係合して、扉が密閉される。
【０００４】
そして、上記の折畳み式回転扉は、上下連結部材の連結軸を受容可能な円筒部をその中央部に有する縦長の金属製の扉連結用枠部材が、細長い長方形状の表面形状をなす子扉と親扉の連結側の縦辺に沿って取付けられ、それぞれの扉連結用枠部材の外側部に半円筒状の外周面を有するカバー部材として中空召合せゴムが嵌め込まれて張設されている。扉連結用枠部材には円筒部側に向けて開口する凹部の形成された鉤部が設けられ、断面半割ドーナツ状の縦長の召合せゴムの半割部両側縁に沿って形成された係合部が係合させられていて、このようにして、召合せゴムが、扉連結用枠部材に取付けられている。この場合の鉤部と係合部との係合は、次のようにしてなされている。すなわち、係合部にも、鉤部凹部に相当する溝が形成されていて、これら溝および凹部に、それぞれ相手側の突条が嵌合し合うことにより、これらの係合がなされている。
【特許文献１】特許第３３２１０９８号公報
【発明の開示】
【発明が解決しようとする課題】
【０００５】
しかしながら、特許文献１に記載の折畳み式回転扉は、扉連結用枠部材との係合において、互いが離反する方向の力に抗して、係合状態を維持する構造であるが、その交差方向の力に対しては、係合状態を維持する構造とはなっていない。カバー部材（召合せゴム）は、互いが離反する方向の力に抗して係合状態を維持する構造で扉連結用枠部材に嵌め込まれているために、カバー部材が扉連結用枠部材との間に隙間があると、ガタツキが生じ易くなり、扉が密閉される際に、両召合せゴムの突条同士の衝突による衝撃や、両召合せゴムや突条同士の近接動作で生じる風圧により、子扉および親扉の扉連結用枠部材から外れてしまう虞がある。
【０００６】
そのため、両者を極めて高い精度で係合する必要があり、カバー部材としては、温度差により伸縮して大きさが変形する部材は適さず、ゴムのような弾性部材を使用しているが、扉連結用枠部材に嵌め込まれるカバー部材としての中空召合せゴムは、扉連結用枠部材との間に隙間が生じないように半円筒の径の精度の高いものを選んで使用されており、製造や管理に手間を要するため回転折れ戸の改善が望まれていた。
【０００７】
また、特許文献１に記載の折畳み式回転扉は、親子両扉の内側上下端部を相互に枢支した連結部材と、該連結部材の連結軸と同芯でかつ前記親子両扉に一体に結合されるとともに、相互に噛み合う同一寸法の一対の歯車とからなる折畳み連結手段を有しているため、相互に噛み合う一対の歯車に子供が手や足の指を挟んでしまうような不慮の事故も予想され、折畳み連結手段の安全性の点からも回転折れ戸の改善が望まれている。
【０００８】
従って、本発明が解決しようとする課題の１つは、カバー部材は扉連結用枠部材との間に隙間が生じても扉連結用枠部材に嵌め込まれた状態では、第１の扉および第２の扉の扉連結用枠部材から外れない構造の回転折れ戸の提供である。
【０００９】
また、本発明が解決しようとする課題の他の１つは、一対の歯車に子供が手や足の指を挟んでしまうことがないような安全性の高い折畳み可能な連結部材を有する回転折れ戸の提供である。
【課題を解決するための手段】
【００１０】
上記課題を解決するために請求項１に記載の発明は、第１の扉と第２の扉とが、２本の連結軸を有する連結部材を介して折畳み可能に連結されるとともに、前記各連結軸を中心に回転可能に構成され、縦長の扉連結用枠部材が前記第１の扉と第２の扉の連結側の縦辺に沿って取付けられ、該扉連結用枠部材の外側部に半円筒状の外周面を有するカバー部材が嵌め込まれて張設される回転折れ戸において、前記カバー部材と前記扉連結用枠部材は、係合すると互いが離反する方向やその交差方向の力に抗して、前記係合状態を維持する係合構造を有することを特徴とする回転折れ戸である。
【００１１】
また、請求項２に記載の発明は、前記連結部材は、前記両扉に取り付けられるとともに、前記連結軸に軸孔が嵌合されて相互に噛み合う同一寸法の一対の歯車を有し、前記一対の歯車を受け入れる開口が設けられた歯車カバーが取付けられていることを特徴とする請求項１記載の回転折れ戸である。
【００１２】
また、請求項３に記載の発明は、前記歯車カバーには水抜き用にスリットが設けられていることを特徴とする請求項２記載の回転折れ戸である。
【００１３】
また、請求項４に記載の発明は、前記係合構造は、カバー部材の半円筒状内面の両側縁に設けられ前記半円筒状の中心に向かって突出するフックと、前記扉連結用枠部材の外側の側面に設けられたフック受部とから構成されている請求項１〜３のいずれか１項に記載の回転折れ戸である。
【発明の効果】
【００１４】
本発明の回転折れ戸によれば、カバー部材と扉連結用枠部材は、係合すると互いが離反する方向やその交差方向の力に抗して、前記係合状態を維持する係合構造を有するので、第１の扉および第２の扉の各カバー部材は扉連結用枠部材との間に隙間が生じても扉連結用枠部材に嵌め込まれた状態では、扉連結用枠部材から外れることはない。
【００１５】
また、本発明の回転折れ戸によれば、連結部材には、一対の歯車を受け入れる開口が設けられたカバーが取付けられているので、一対の歯車に子供が手や足の指を挟んでしまうことはなく安全である。
【００１６】
また、本発明の回転折れ戸によれば、カバー部材と扉連結用枠部材の係合構造は、カバー部材の半円筒状内面の両側縁に設けられ前記半円筒状の中心に向かって突出するフックと、前記扉連結用枠部材の外側の側面に設けられたフック受部とから構成されているから、フックがフック受部と係合すると扉連結用枠部材とカバー部材は互いが離反する方向やその交差方向の力に抗して、係合状態を維持できる。
【発明を実施するための最良の形態】
【００１７】
以下、図面に基づいて本発明の実施の形態を説明する。図１は、本実施形態における回転折れ戸を備えた扉設備全体の正面図、図２は、図１の実施形態における回転折れ戸の作用説明図、図３（ａ）は、図１の実施形態における連結部材のカバーの平面図、図３（ｂ）は、同カバーの底面図、図３（ｃ）は、同カバーの使用状態を説明するための一部を切欠いた概略説明図、図３（ｄ）は、図３（ａ）のＡＡ線断面図である。
【００１８】
図１において、回転折れ戸の基本構造は、回転折れ戸３が、第１の扉５と第２の扉４との組合せからなり、これら第１の扉５と第２の扉４とが、それらの片側において折り畳み自在に連結されている。そして、これら両扉４、５が、縦長の門型扉枠体２に取り付けられている。
【００１９】
そして、第１の扉５と第２の扉４との連結部を押すことにより、第２の扉４が連結部と反対側の上下端部を回転の中心として回転し、第１の扉５が、所定の個所において回転しつつ、扉枠体２に設けられたレールに沿って走行して、第１の扉５と第２の扉４とが、それらの連結部を手前側もしくはこれと反対側に突出させつつ、相互に折り畳まれて、第１の扉５が第２の扉４側に引き寄せられることにより、扉が開放されるようになっている。
【００２０】
扉枠体２は、左右の縦枠体８、８と、これら左右の縦枠体８、８に両端が固着されて一体化された上枠体９とからなっている。
【００２１】
縦枠体８は、図２に図示されているように、細長い内部折曲片８ａと外部折曲片８ｂとの間に柱部材８ｃを挟んだ構造に形成されていて、内部折曲片８ａは、その幅方向の先端が内方に直角にわずかに折曲され、底面が両側にわずかの幅を残して内方にわずかに窪まされた断面形状をなしている。そして、形成された凹部８ｄが、内方に向くようにして配置され、これら両縦枠体８、８の凹部８ｄに、第１の扉５および第２の扉４の幅方向、外方端面が、それぞれ部分的に受容されるようになっている。
【００２２】
また、上枠体９の下部には、吊りレール部材１０が取り付けられている。該吊りレール部材１０の下部の内面は幅方向の両側に所定幅の間隙を設けてレール１０ａ、１０ａが形成され、後述する第１の扉５の上面に固着された吊持軸３５が扉枠体２の左右幅方向に走行可能なように、レール１０ａ、１０ａ間には、レール１０ａ、１０ａの間隙による細長い開口１０ｂが形成されている。
【００２３】
また、吊りレール部材１０内には、扉枠体２の縦枠体８側の端部付近に両扉４、５が閉まるときに吊持軸３５を介して第１の扉５を移動させる移動体として吊持軸３５が固定された四輪の上吊車３６の一部にピストンロッド１９の先端１９ａが当接すると第１の扉５の閉止速度を減速するエアーダンパー１８が取付けられている。
【００２４】
第２の扉４は、本体部をなす扉部材１１の上面および下面に一端に円弧状の切り欠き４ｂを形成した横補強枠４ａ，４ａが固着され、その右側面には、第２の扉４を回転可能に支持する回転軸を収納する半円筒状の長尺なカバー部材１５が取付けられ、左側面に、半円筒状の長尺なカバー部材５０が取付けられている。カバー部材５０は、第２の扉４に連結される第１の扉５との間の隙間を塞ぐ（または、狭くする）ために取付けられるものである。
【００２５】
また、第１の扉５は、本体部をなす扉部材１２の上面および下面に一端に円弧状の切り欠き５ｂを形成した横補強枠５ａ，５ａが固着され、その右側面に、第１の扉５に連結される第２の扉４との間の隙間を塞ぐ（または、狭くする）半円筒状の長尺なカバー部材５０が取付けられ、左側面には、第１の扉５を扉枠体２の縦枠体８に当接（または近接）させた際の隙間を塞ぐ（または、狭くする）断面半円弧状の長尺なカバー部材１６が取付けられている。カバー部材１６内と、カバー部材１６に当接（または近接）する側の縦枠体８内には、それぞれ棒磁石１７が収納され、回転折れ戸３を閉じて、第１の扉５を扉枠体２の縦枠体８に当接させると、その状態を維持するように構成されている。第２の扉４の本体部をなす扉部材１１および第１の扉５の本体部をなす扉部材１２は、細長い長方形の平板形状をなしている。扉部材１１、１２は、金属製もしくは合成樹脂製とされるが、木質製とされる場合もある。
【００２６】
なお、扉部材１１の上面および下面に横補強枠４ａ，４ａを固着せずに、扉部材１１だけで第２の扉４を形成したり、同様に、扉部材１２の上面および下面に横補強枠５ａ，５ａを固着せずに、扉部材１２だけで第１の扉５を形成することもできる。
【００２７】
第２の扉４の本体部をなす扉部材１１の右側上端部には、垂直方向に回転軸を有するヒンジ３０が埋設して取付けられている。また、ヒンジ３０の上部は、扉枠体２の吊りレール部材１０にブラケット３１を介してネジにより固着されている。
【００２８】
また、扉部材１１の右側下端部には円筒状のヒンジ３２が埋設されている。ヒンジ３２の筒内には回転軸３３が嵌合されており、扉部材１１は、回転軸３３に回転自在に支持されている。回転軸３３は、図示しないスラストベアリングに植設されており、スラストベアリングは、扉枠体２の右側縦枠体８に取り付けられたＬ字状ブラケット３４の水平折曲部上に固着されている。したがって第２の扉４の荷重は、スラストベアリングの回転軸の植設面により受けられる。これにより第２の扉４は、扉枠体２の右端部に回転自在に支持されている。
【００２９】
第１の扉５の本体部をなす扉部材１２は、その幅方向中央付近の位置、丁度、第２の扉４の回転半径相当の位置において、その上面が扉枠体２の吊りレール部材１０に回転自在に吊持され、また、その右側の第２の扉４との連結部側上下端部が、第２の扉４の左側上下端部と相互に折り畳み自在に連結されて支持されることにより、扉枠体２に取り付けられている。
【００３０】
第１の扉５の上面が扉枠体２の吊りレール部材１０に回転自在に吊持される部分の構造は、次のようになっている。第１の扉５の本体部をなす扉部材１２の上面には、吊持軸３５が固着されて取り付けられている。吊持軸３５は、四輪の上吊車３６の台板３７の中央部に形成された軸受孔３８を貫通して、そこに抜け止めされて回転可能に支持されている。したがって、第１の扉５は、吊持軸３５を介して上吊車３６により吊持されるとともに、上吊車３６の軸受孔３８に支持されて、回転可能である。
【００３１】
上吊車３６は、その台板３７に回転自在に取り付けられた車輪３９が、レール１０ａ、１０ａ上を転動するので、このレール１０ａ、１０ａに沿って走行が可能である。その走行範囲は、回転扉３が閉鎖状態にあり、エアーダンパー１８にピストンロッド１９が収納されているときのピストンロッド１９の先端１９ａ近傍の位置から、回転扉３が完全に開放されたときの上枠体９の右端近傍の位置までである。
【００３２】
次に、第１の扉５の右側上下端部が、第２の扉４の左側上下端部と相互に折り畳み自在に連結される部分の構造を説明する。先ず、第１の扉５と第２の扉４を折畳み可能に連結する連結部材４０について説明する。連結部材４０は、平板状の連結板４１の片面から所定の間隔で２本の連結軸４２、４２が突出し、これら連結軸４２、４２に同一寸法の一対の歯車（図では、歯４５が半円周部に沿って形成された平歯車を採用している）４３、４３の軸孔４３ａが嵌合されて、一対の歯車４３、４３が回転可能に支持され、相互に噛み合うように構成されている。また、各歯車４３、４３には、連結板４１の軸孔４３ａを挟んで一対のネジ止め用の孔４３ｂ、４３ｂが設けられている。なお、連結板４１には、後述する歯車カバー４６を取付るための一対のネジ止め用の孔４１ａ、４１ａが設けられている。
【００３３】
第２の扉４の本体部をなす扉部材１１の連結側の縦辺に位置する左の側面と、第１の扉５の本体部をなす扉部材１２の連結側の縦辺に位置する右の側面には、扉部材１１、１２の縦辺の長さを有する縦長の金属性の扉連結用枠部材２０、２０が扉部材１１、１２の縦辺に沿って取り付けられている。
【００３４】
扉連結用枠部材２０、２０の外側部には、半円筒状の外周面を有するカバー部材５０、５０が嵌め込まれて張設されている。また、扉連結用枠部材２０、２０およびカバー部材５０、５０の上下の端面には、連結部材４０、４０が各一対の歯車４３、４３を扉連結用枠部材２０、２０に、それぞれ孔４３ｂ、４３ｂにネジを挿入して取り付けられている。こうして連結部材４０、４０が扉連結用枠部材２０、２０の上下の端面に固定されることで、扉部材１１、１２は、これらに取付けられた扉連結用枠部材２０、２０を介して、第１の扉５の右側上下端部が、第２の扉４の左側上下端部に連結され、これにより第１の扉５と第２の扉４とが相互に折り畳み可能に構成されている。
【００３５】
そして、これら連結部材４０、４０には、外観がメガネ型形状で、上面が開口した箱状の歯車カバー４６、４６が被せられて取付けられている。歯車カバー４６の底面には、連結部材４０の連結板４１の周囲を囲むように環状リブ４８ａが成形されており、環状リブ４８ａの内部は連結板４１の収納部４８となっている。また、歯車カバー４６の底面の縁部には円弧状をした水抜き用のスリット４７が断続的に形成されている。収納部４８には、連結板４１を収納したときに、連結板４１に設けられたネジ止め用の孔４１ａ、４１ａと、合致する位置に孔４９、４９が形成され、また、連結軸４２、４２と、合致する位置に孔４９ａ、４９ａが形成されている。そして歯車カバー４６は、これらの孔４９ａ、４９ａに連結軸４２、４２を嵌合するとともに、孔４９、４９にネジを挿入して連結板４１にネジ止めして、連結部材４０に取付けられている。
【００３６】
なお、この状態では、歯車４３、４３と扉連結用枠部材２０、２０との接合部はカバー部材５０、５０の上下の端面に接触しているが、メガネ型形状の歯車カバー４６、４６はカバー部材５０、５０の上下の端面との間に所定の間隙を有しており、第１の扉５と第２の扉４とが折り畳まれる際に歯車カバー４６は、カバー部材５０、５０および扉部材１１、１２と接触しないように配置されている。
【００３７】
歯車カバー４６、４６が連結部材４０、４０に取付けられて、扉連結用枠部材２０、２０の上下の端面に固定される際には、第１の扉５の右側上下端部の横補強枠５ａの一端の円弧状の切り欠き５ｂと第２の扉４の左側上下端部の横補強枠４ａの一端の円弧状の切り欠き４ｂとの間に円弧状の間隙を有しており、第１の扉５と第２の扉４とが折り畳まれる際に、第１の扉５と第２の扉４とは、横補強枠４ａ、５ａの各円弧状の切り欠き４ｂ、５ｂはメガネ型形状の歯車カバー４６との間に円弧状の間隙を保って回動するので、歯車カバー４６は、横補強枠４ａ，５ａと接触することはない。
【００３８】
次に、扉連結用枠部材２０とカバー部材５０との接合構造の実施例１〜３について、図４〜図６を参照してさらに詳細に説明する。図４（ａ）は、実施例１の扉連結用枠部材２０とカバー部材５０の概略説明図、図４（ｂ）は、実施例１の扉連結用枠部材２０とカバー部材５０の係合構造の概略図、図５（ａ）は、実施例２の扉連結用枠部材２０ａとカバー部材５０ａの概略説明図、図５（ｂ）は、実施例２の扉連結用枠部材２０ａとカバー部材５０ａの概略説明図、図６は、実施例３の概略説明図である。
【実施例１】
【００３９】
図４（ａ）に実施例１の連結部を構成する扉連結用枠部材２０とカバー部材５０を示す。扉連結用枠部材２０は金属または樹脂等により形成されたもので、外側に開口２１を有する断面コ字状の取付溝部２２を有しており、開口２１内に第２の扉４の扉部材１１（または、第１の扉５の扉部材１２）の連結側の縦辺に位置する側面が嵌め込まれ、ネジにより扉部材１１に取付けられている。取付溝部２２の開口２１の裏面には、扉連結用枠部材２０の幅方向の外側に高さの低い突条２３が設けられ、その内側に突条２３と略同じ高さの低い突条２４が設けられ、さらに内側に高さの高い突条２５が、間隔を空けて幅方向に対称に向かい合って、それぞれ１対ずつ並行して縦辺に沿って設けられている。
【００４０】
高さの高い１対の突条２５、２５の間に位置する開口２１の裏面には、断面がＣ字状のリブ２６で形成された溝部２７が外側に開口２８を有して設けられている。一対の突条２５、２５の先端は、歯車４３を取付けるための一対のネジ止め用の孔４１ｂ，４１ｂを有する断面Ｃ字状のネジ受け部２６ａ，２６ａを形成してリブ２６の外側に接続されている。突条２５は、上記のネジ受け部２６ａの位置より先に伸びて、その先端は折り返されて、間隔を空けて高さの低い突条２４との間に開口を有して向かい合うように設けられている。これにより、高さの高い突条２５の一部を底面として、高い突条２５の折り返された先端部２５ａと低い突条２４とが係止壁を形成して外側に開口２４ａを有する溝状のフック受け部２９が縦辺に沿って長尺に形成されている。なお、突条２４と突条２５ａの先端部は、尖って外側に広がるテーパ状に形成されている。
【００４１】
カバー部材５０は、ゴムまたは樹脂等の弾力性のある素材により成形されたもので、内側に開口５１を有する略半円筒状であり、半円筒の内部には外周に沿って厚みを持たせたＣ字状の補強用リブ５２が形成されている。リブ５２の内面には、端部側に突条５３が設けられ、その内側に突条５４が、間隔を空けて中央付近から対称に、それぞれ１対ずつ設けられている。また、カバー部材５０の開口５１の内面の両端縁には、先端に係止部５５ａを有して半円筒の中心に向かって所定長さ突出した断面Ｔ字状のフック５５、５５が、長尺に設けられている。カバー部材５０の半円筒の外周には、中心付近から突出して端縁側に下降する断面円弧状をした１本の係合用突条５７が縦辺に沿って長尺に設けられていて、閉扉時、両係合用突条５７、５７が係合して、扉が密閉される。
【００４２】
扉連結用枠部材２０のフック受け部２９、２９にカバー部材５０のフック５５、５５を係合すると、図４（ｂ）に示すようにカバー部材５０のＣ字状の補強用リブ５２の内面に設けた１対の突条５３、５３が扉連結用枠部材２０のＣ字状のリブ２６の外周面に当接し、この状態で１対の突条５４、５４がリブ２６の開口２８付近の両端部の外周面に当接し、フック受け部２９にフック５５が嵌合し、フック５５は突条２３により挿入できる位置が規制され、また、突条２４からなる係止壁と係止壁２５ａにより係止部５５ａが抜け止めされて、カバー部材５０はＣ字状のリブ２６に略同軸に固定され、半円筒の外周が１８０度を大きく超えた範囲が巻きついた状態で扉連結用枠部材２０に一体に接合される。
【実施例２】
【００４３】
図５（ａ）に実施例２の連結部を示す。実施例２では、扉連結用枠部材２０ａのフック受け部６０の形状と、カバー部材５０ａのフック５６の形状、および半円筒の外周に設けられる１本の突条５７ａの形状が実施例１のものと異なるが、その他の構造は同じである。
【００４４】
扉連結用枠部材２０ａは、実施例１の扉連結用枠部材２０と同様に、外側に開口２１を有する断面コ字状の取付溝部２２を有している。取付溝部２２の両縁部分は開口２１の裏面に延長する一対の突条６１、６１となっている。また、取付溝部２２の開口２１の裏面には、断面がＣ字状のリブ２６で形成された溝部２７が外側に開口２８を有して設けられている。一対の突条６１、６１は途中から中心方向に略直角に折れ曲がり、その折曲部６２の端部側に段部６２ａを有して、折曲部６２の先端部分が、歯車４３を取付けるための一対のネジ止め用の孔４１ｃ，４１ｃを有する断面Ｃ字状の一対のネジ受け部６３，６３を形成してリブ２６に接続されている。リブ２６の外周面には、折曲部６２との間に間隔を有して並行に向かい合うように突条６４が設けられている。この突条６４は、折曲部６２と共に溝を形成し、さらに突条６４の先端部は途中から折曲部６２に向かって略直角に折れ曲がり、上記溝の上部に係止壁６５を形成して外側に開口６６を有する鉤状のフック受け部６０を形成している。このフック受け部６０は縦辺に沿って長尺に形成されている。
【００４５】
カバー部材５０ａは、内側に開口５１を有する略半円筒状であり、半円筒の内部には外周に沿って厚みを持たせたＣ字状の補強用リブ５２が形成されている。Ｃ字状の補強用リブ５２の内面には、端部側に突条５３が設けられ、その内側に突条５４が、間隔を空けて中央付近から対称に、それぞれ１対ずつ設けられている。また、カバー部材５０ａの開口５１の内面の両端縁には先端に係止部５６ａを有して半円筒の中心に向かって所定長さ突出した断面Ｌ字状のフック５６、５６が、縦辺に沿って長尺に設けられている。カバー部材５０ａの半円筒の外周には、中心付近から突出して端縁側に下降する断面鋭角状をした１本の突条５７ａが縦辺に沿って長尺に設けられていて、閉扉時、両係合用突条５７ａ、５７ａが係合して、扉が密閉される。
【００４６】
扉連結用枠部材２０ａのフック受け部６０、６０にカバー部材５０ａのフック５６、５６を係合すると、図５（ｂ）に示すようにカバー部材５０ａのＣ字状の補強用リブ５２の内面に設けた１対の突条５３、５３が扉連結用枠部材２０ａのＣ字状のリブ２６の外周面に当接し、この状態で１対の突条５４、５４がリブ２６の開口２８付近の両端部の外周面に当接し、フック受け部６０にフック５６が嵌合し、フック５６は段部６２ａにより挿入できる位置が規制され、また、係止壁６５により係止部５６ａが抜け止めされて、カバー部材５０ａはＣ字状のリブ２６に略同軸に固定され、半円筒の外周が１８０度までの範囲が巻きついた状態で扉連結用枠部材２０ａに一体に接合される。
【実施例３】
【００４７】
図６に実施例３の連結部を示す。図６において、カバー部材５０ｂの半円筒の外周には、中心付近から所定長さ突出した板状をした１本の係合用突条５７ｂが縦辺に沿って長尺に設けられている。実施例３では、この係合用突条５７ｂの形状が実施例２のものと異なるが、その他の構造は実施例２同じであるので、その説明は省略する。
【００４８】
以上説明したように、本発明の回転折れ戸によれば、カバー部材と扉連結用枠部材は、係合すると互いが離反する方向やその交差方向の力に抗して、前記係合状態を維持する係合構造を有するので、第１の扉および第２の扉の各カバー部材は扉連結用枠部材との間に隙間が生じても扉連結用枠部材に嵌め込まれた状態では、扉連結用枠部材から外れることはない。
【００４９】
カバー部材５０、５０ａ、５０ｂは、それぞれ半円筒の外周が扉連結用枠部材２０に１８０度内外の範囲が巻きついた状態で一体に接合されるから、人が誤って手や足の指を挟んでしまった場合でもクッション効果があり安全性に配慮されている。特に実施例１のカバー部材５０は、半円筒の外周が扉連結用枠部材２０に１８０度を大きく超えた範囲が巻きついた状態で一体に接合されているので、クッション効果が最も大きく安全性の高いものである。
【００５０】
また、連結部材には、一対の歯車を受け入れる開口が設けられた歯車カバーが取付けられているので、一対の歯車に子供が手や足の指を挟んでしまうことはなく安全である。
【００５１】
また、カバー部材と扉連結用枠部材の係合構造は、カバー部材の半円筒状内面の両側縁に設けられ前記半円筒状の中心に向かって突出するフックと、前記扉連結用枠部材の外側の側面に設けられたフック受部とから構成されているから、フックがフック受部と係合すると扉連結用枠部材とカバー部材は互いが離反する方向やその交差方向の力に抗して、係合状態を維持できる。
【図面の簡単な説明】
【００５２】
【図１】本実施形態における回転折れ戸を備えた扉設備全体の正面図である。
【図２】図１の実施形態における回転折れ戸の作用説明図である。
【図３】（ａ）は、図１の実施形態における連結部材の歯車カバーの平面図、（ｂ）は、同歯車カバーの底面図、（ｃ）は、同歯車カバーの使用状態を説明するための一部を切欠いた概略説明図、（ｄ）は、図３（ａ）のＡＡ線断面図である。
【図４】（ａ）は、実施例１の扉連結用枠部材２０とカバー部材５０の概略説明図、（ｂ）は、実施例１の扉連結用枠部材２０とカバー部材５０の係合構造の概略図である。
【図５】（ａ）は、実施例２の扉連結用枠部材２０ａとカバー部材５０ａの概略説明図、（ｂ）は、実施例２の扉連結用枠部材２０ａとカバー部材５０ａの概略説明図である。
【図６】実施例３の概略説明図である。
【符号の説明】
【００５３】
２  扉枠体
３  回転折れ戸
４  第２の扉
４ａ，５ａ  横補強枠
５  第１の扉
８  縦枠体
８ａ  内部折曲片
８ｂ  外部折曲片
８ｃ  柱部材
８ｄ  凹部
９  上枠体
１０  吊りレール部材
１０ａ  レール
１１，１２  扉部材
１５，１６，５０，５０ａ  カバー部材
１７  棒磁石
２０，２０ａ  扉連結用枠部材
２１，２４ａ，２８，５１，６６  開口
２２  取付溝部
２３，２４，２５，５３，５４，６１，６４  突条
２５ａ，６５  係止壁
２６  リブ
２６ａ，６３  ネジ受け
２７  溝部
２９，６０  フック受け部
３０，３２  ヒンジ
３１  ブラケット
３３  回転軸
３４  Ｌ字状ブラケット
３５  吊持軸
３６  上吊車
３７  台板
３８  軸受孔
３９  車輪
４０  連結部材
４１  連結板
４１ａ，４１ｂ，４１ｃ，４３ｂ，４９  孔
４２  連結軸
４３  歯車
４３ａ  軸孔
４５  歯
４６  歯車カバー
４７  スリット
４８  収納部
４８ａ  環状リブ
５２  補強用リブ
５５，５６  フック
５５ａ，５６ａ  係止部
５７，５７ａ，  係合用突条
６２  折曲部
６２ａ  段部